(57)【要約】【課題】投写画像と手書きで書き込んだ筆記画像とが重なり合うことによる視認性の低下を容易に抑制可能なプロジェクタを提供する。【解決手段】マスクキーが操作されると、制御部は、入力画像Ｇｉを４×３の１２の領域に区分し、区分された複数の領域のいずれか１つをユーザに指定させる。ユーザは、入力画像Ｇｉ上に重畳表示されているカーソルＣを方向キーを用いて移動させることにより所望の領域を指定することができる。ユーザによって１つの領域が指定された後に決定キーが操作されると、制御部は、この領域に含まれる画像を消去するマスク処理を行う。プロジェクタが、ホワイトボード等の筆記可能な投写面Ｓ上に入力画像Ｇｉを投写している場合には、筆記画像（筆記すべき文字や図形等）をマスクされた領域内に書き込むことにより、プロジェクタから投写される投写画像（入力画像Ｇｉ）と筆記画像とが重なり合わずに済む。【選択図】図４
2009092801.tif 000002
【特許請求の範囲】
【請求項１】
外部から画像信号が入力される画像信号入力部と、
前記画像信号入力部に入力された前記画像信号に基づく画像を投写する画像投写部と、
前記画像の一部の領域を指定するための領域指定部と、
前記領域指定部によって指定された領域をマスクして、当該領域に含まれる画像を消去するマスク部と、
を備えたことを特徴とするプロジェクタ。
【請求項２】
請求項１に記載のプロジェクタであって、
前記領域指定部は、前記画像信号に基づく画像を複数の領域に区分し、当該複数の領域の中から所望の領域を選択させることを特徴とするプロジェクタ。
【請求項３】
請求項２に記載のプロジェクタであって、
前記領域指定部は、前記複数の領域にそれぞれ対応する複数の操作キーを有しており、前記操作キーの操作によって前記領域を指定させることを特徴とするプロジェクタ。
【請求項４】
請求項２又は３に記載のプロジェクタであって、
前記マスク部は、前記領域を複数同時にマスク可能であることを特徴とするプロジェクタ。
【請求項５】
請求項１〜４のいずれか１項に記載のプロジェクタであって、
前記領域指定部によって指定された領域が既にマスクされている場合に当該領域のマスクを解除するマスク解除部をさらに備えたことを特徴とするプロジェクタ。
【発明の詳細な説明】
【技術分野】
【０００１】
本発明は、入力される画像信号に応じた画像を投写するプロジェクタに関する。
【背景技術】
【０００２】
近年、プロジェクタを用いたプレゼンテーションが一般的になっており、スクリーンやホワイトボード上に投写された画像を示しながら説明を行うことが可能になっている。特許文献１に示すように、スクリーンの代わりにホワイトボードに画像を投写する場合には、投写された画像（以降、投写画像という。）に基づく説明と、手書きした図や文字（以降、筆記画像という。）を用いた説明とを同じ場所で行うことが可能となるため、説明者の利便性が向上する。
【０００３】
【特許文献１】特開平１１−３０５３３５号公報
【発明の開示】
【発明が解決しようとする課題】
【０００４】
しかしながら、投写画像と筆記画像とを同時に示したい場合に、筆記画像を投写画像に重なるように書き込んでしまうと、一方或いは双方の画像が見えづらくなってしまうことがある。この場合、筆記画像を投写画像の外側に書き込む必要が生じるが、ホワイトボード上に十分なスペース（余白領域）がない場合には、ホワイトボードに対する投写画像の位置をずらしたり、投写画像を縮小させたりする等、余白領域を確保するための作業を行わなければならない。ホワイトボードに対する投写画像の位置をずらすためには、プロジェクタ又はホワイトボードを移動させなければならないため作業が煩雑であるうえ、移動させることによって投写画像がホワイトボードからはみ出してしまう場合には、後で元に戻す作業も必要となってしまう。また、投写画像を縮小させる場合には、投写画像が小さくなってしまうことにより視認性が悪くなるという問題が生じる。
【課題を解決するための手段】
【０００５】
本発明は、上述の課題の少なくとも一部を解決するためになされたものであり、以下の形態又は適用例として実現することが可能である。
【０００６】
［適用例１］本適用例に係るプロジェクタは、外部から画像信号が入力される画像信号入力部と、前記画像信号入力部に入力された前記画像信号に基づく画像を投写する画像投写部と、前記画像の一部の領域を指定するための領域指定部と、前記領域指定部によって指定された領域をマスクして、当該領域に含まれる画像を消去するマスク部と、を備えたことを特徴とする。
【０００７】
このプロジェクタによれば、マスク部が画像の一部をマスクするため、ホワイトボード等の筆記可能な面上に画像を投写する際に、手書きで画像を書き込むための領域を投写画像内に設けることが可能となる。この結果、画像信号に基づく画像と手書きで書き込んだ画像との両方を示す際に、両者が重なり合うことによる視認性の低下を容易に抑制することが可能となる。
【０００８】
［適用例２］上記適用例に係るプロジェクタにおいて、前記領域指定部は、前記画像信号に基づく画像を複数の領域に区分し、当該複数の領域の中から所望の領域を選択させることが望ましい。
【０００９】
このプロジェクタによれば、区分された複数の領域の中から所望の領域を選択させる構成であるため、マスクすべき領域の指定を容易に行うことが可能となる。
【００１０】
［適用例３］上記適用例に係るプロジェクタにおいて、前記領域指定部は、前記複数の領域にそれぞれ対応する複数の操作キーを有しており、前記操作キーの操作によって前記領域を指定させることが望ましい。
【００１１】
このプロジェクタによれば、領域指定部が、区分された複数の領域に対応する複数の操作キーを有しており、この操作キーの操作によって領域を指定させるため、マスクすべき領域の指定をさらに容易に行うことが可能となる。
【００１２】
［適用例４］上記適用例に係るプロジェクタにおいて、前記マスク部は、前記領域を複数同時にマスク可能であることが望ましい。
【００１３】
このプロジェクタによれば、複数の領域を同時にマスク可能であるため、マスクすべき領域の大きさの自由度が増す。
【００１４】
［適用例５］上記適用例に係るプロジェクタにおいて、前記領域指定部によって指定された領域が既にマスクされている場合に当該領域のマスクを解除するマスク解除部をさらに備えたことが望ましい。
【００１５】
このプロジェクタによれば、既にマスクされている領域を指定することによってマスクを解除することができるため、マスクすべき領域の変更を容易に行うことが可能となる。
【発明を実施するための最良の形態】
【００１６】
（第１実施形態）
以下、外部から入力される画像信号に基づく画像（以降、入力画像という。）を投写して、スクリーンやホワイトボード等の投写面にこの入力画像を表示するプロジェクタについて説明する。本実施形態のプロジェクタは、入力画像を複数の領域に区分し、区分された複数の領域のうち、ユーザによって指定された領域をマスクして、この領域内に含まれる画像を消去することが可能になっている。
【００１７】
図１は、本実施形態のプロジェクタの概略構成を示すブロック図である。
図１に示すように、プロジェクタ１は、画像投写部１０、制御部２０、記憶部２１、操作パネル２２、リモコン２３、操作信号受信部２４、画像信号入力部２５、画像処理部２６、ＯＳＤ処理部２７等で構成されている。
【００１８】
画像投写部１０は、光源１１、光変調装置としての３つの液晶ライトバルブ１２Ｒ，１２Ｇ，１２Ｂ、投写光学系としての投写レンズ１３、ライトバルブ駆動部１４等を含んでいる。画像投写部１０は、表示部に相当するものであり、光源１１から射出された光を、液晶ライトバルブ１２Ｒ，１２Ｇ，１２Ｂで変調して画像を形成し、この画像を投写レンズ１３から投写して投写面Ｓに表示する。
【００１９】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクタ１１ｂとを含んで構成されている。光源１１から射出された光は、図示しないインテグレータ光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２０】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素が形成されており、液晶に対して画素毎に駆動電圧を印加可能になっている。ライトバルブ駆動部１４が、入力される画像信号に応じた駆動電圧を各画素に印加すると、各画素は、画像信号に応じた光透過率に設定される。このため、光源１１から射出された光は、この液晶ライトバルブ１２Ｒ，１２Ｇ，１２Ｂを透過することによって変調され、画像信号に応じた画像光（画像）が色光毎に形成される。形成された各色の画像光は、図示しない色合成光学系によって画素毎に合成されてカラーの画像光となった後、投写レンズ１３によって投写面Ｓに拡大投写される。
【００２１】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクタ１の動作を統括制御する。つまり、制御部２０は、記憶部２１とともにコンピュータとして機能する。
【００２２】
記憶部２１は、マスクＲＯＭ（Read Only Memory）や、フラッシュメモリ、ＦｅＲＡＭ（Ferroelectric RAM：強誘電体メモリ）等の不揮発性のメモリにより構成されている。記憶部２１には、プロジェクタ１の動作を制御するための制御プログラムや、プロジェクタ１の動作条件等を規定する各種設定データ等が記憶されている。
【００２３】
操作パネル２２及びリモコン２３は、ユーザからの入力操作を受け付ける入力操作部に相当するものであり、ユーザがプロジェクタ１に対して各種指示を行うための複数の操作キーを備えている。操作パネル２２及びリモコン２３が備える操作キーとしては、電源のオン・オフを切り替えるための「電源キー」、各種設定を行うためのメニュー画像を表示させる「メニューキー」、メニュー画像における項目の選択等に用いられる「方向キー」（上下左右に対応する４つのキー）、メニュー画像等で選択された項目を決定する「決定キー」、動作の取消を指示する「取消キー」、領域のマスクを指示するための「マスクキー」等がある。ユーザが操作パネル２２の各種操作キーを操作すると、操作パネル２２は、ユーザの操作内容に応じた操作信号を制御部２０に出力する。また、ユーザがリモコン２３の各種操作キーを操作すると、リモコン２３は、ユーザの操作内容に応じた赤外線の操作信号を発し、操作信号受信部２４がこれを受信して制御部２０に伝達する。
【００２４】
画像信号入力部２５には、パーソナルコンピュータやＤＶＤ（Digital Versatile Disc）再生装置等、図示しない外部の画像出力装置とケーブルを介した接続を行うための接続端子（図示せず）が備えられており、画像出力装置から各種形式の画像信号が入力される。画像信号入力部２５は、入力された画像信号を画像処理部２６に出力する。
【００２５】
画像処理部２６は、画像信号入力部２５から順次入力される各種形式の画像信号に基づいて、液晶ライトバルブ１２Ｒ，１２Ｇ，１２Ｂの各画素の階調を表す画像情報を生成する。ここで、生成された画像情報は、Ｒ，Ｇ，Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素から射出する光の強弱（階調）が規定される。さらに、画像処理部２６は、制御部２０の指示に基づき、生成した画像情報に対して、明るさ、コントラスト、シャープネス、色合い等を調整するための画質調整処理等を行い、すべての処理を終えた画像情報をＯＳＤ処理部２７に順次出力する。
【００２６】
また、画像処理部２６は、制御部２０の指示に基づいて、入力画像上の一部の領域をマスクして、この領域に含まれる画像を消去することが可能になっている。具体的には、制御部２０が、マスクすべき領域（マスク領域）を特定可能な領域情報を画像処理部２６に出力すると、画像処理部２６は、このマスク領域内に含まれるすべての画素の光透過率が最小となるように画像情報を補正する。即ち、画像処理部２６は、マスク領域内に含まれるすべての画素に対応する画素値を最小値（０）に設定した画像情報を生成し、この画像情報をＯＳＤ処理部２７に出力する。
【００２７】
ＯＳＤ処理部２７は、制御部２０の指示に基づいて、メニュー画像やメッセージ画像等のＯＳＤ（オンスクリーンディスプレイ）画像を、入力画像上に重畳するための処理を行う。本実施形態では、入力画像を複数の領域に区分する際の境界線の表示もＯＳＤ画像を用いて行われる。ＯＳＤ処理部２７は、図示しないＯＳＤメモリを備えており、ＯＳＤ画像を形成するための図形やフォント等を表すＯＳＤ画像情報を記憶している。制御部２０が、ＯＳＤ画像の重畳を指示すると、ＯＳＤ処理部２７は、必要なＯＳＤ画像情報をＯＳＤメモリから読み出し、入力画像の所定の位置にＯＳＤ画像が重畳されるように、画像処理部２６から入力される画像情報にこのＯＳＤ画像情報を合成する。ＯＳＤ画像情報が合成された画像情報は、ライトバルブ駆動部１４に出力される。なお、制御部２０からＯＳＤ画像を重畳する旨の指示がない場合には、ＯＳＤ処理部２７は、画像処理部２６から出力される画像情報を、そのままライトバルブ駆動部１４に出力する。
【００２８】
ライトバルブ駆動部１４が、ＯＳＤ処理部２７から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写面Ｓに投写される。
【００２９】
次に、本実施形態のプロジェクタ１の動作について説明する。
プロジェクタ１（画像投写部１０）が画像信号に応じた入力画像を投写している間、制御部２０は、操作パネル２２或いはリモコン２３に対する入力操作を監視する。そして、操作パネル２２或いはリモコン２３に備わる操作キーがユーザにより操作されると、制御部２０は、操作された操作キーに応じた動作を行う。
【００３０】
ここで、マスクキーが操作された場合には、制御部２０は、入力画像を複数の領域に区分し、区分された複数の領域のいずれか１つをユーザに指定させる。ユーザによって領域が指定されると、制御部２０は、この領域に含まれる画像を消去するマスク処理、或いは、すでにマスクされている領域のマスクを解除するマスク解除処理のいずれかを行うようになっている。なお、記憶部２１には、区分された各領域がマスクされた状態であるか、或いはマスクされていない状態（マスクが解除された状態）であるかを識別するためのマスク情報が記憶されており、制御部２０は、マスク処理及びマスク解除処理を行った後でこのマスク情報を更新する。
【００３１】
図２は、マスクキーが操作された際のプロジェクタの動作の詳細を示すフローチャートであり、図３は、マスクキーが操作された際のプロジェクタの動作を説明するための説明図である。また、図４（ａ）〜（ｅ）、図５（ａ）〜（ｃ）、図６、及び図７は、プロジェクタの動作の具体的事例を説明するための説明図である。操作パネル２２或いはリモコン２３がマスクキーの操作を受け付けると、制御部２０は、図２に示すフローに従って動作する。なお、マスクキーが操作される直前まで、投写面Ｓには図４（ａ）に示す入力画像Ｇｉが投写されているものとする。
【００３２】
図２に示すように、ステップＳ１０１では、制御部２０は、入力画像Ｇｉを複数の領域に区分する。具体的には、制御部２０は、ＯＳＤ処理部２７に指示をして、入力画像Ｇｉを４×３の１２の領域Ａ１〜Ａ１２（図３参照）に区分する境界線Ｌを入力画像Ｇｉ上に重畳表示させる。
【００３３】
続くステップＳ１０２では、制御部２０は、ＯＳＤ処理部２７に指示をして、区分した複数の領域の中の１つの領域（例えば、領域Ａ１）の周縁（境界線Ｌ上）に、処理対象の領域であることを示す枠状のカーソルＣを重畳表示させる（図４（ｂ）参照）。
【００３４】
ステップＳ１０３では、制御部２０は、操作パネル２２或いはリモコン２３が方向キーの操作を受け付けたか否か、即ちユーザによって上下左右いずれかの方向キーが操作されたか否かを判断する。この結果、方向キーが操作された場合にはステップＳ１０４に移行し、方向キーが操作されていない場合にはステップＳ１０５に移行する。
【００３５】
方向キーが操作されてステップＳ１０４に移行した場合には、制御部２０は、ＯＳＤ処理部２７に指示をして、操作された方向キーに応じてカーソルＣを移動させ、ステップＳ１０３に戻る。例えば、カーソルＣが入力画像Ｇｉの左上の角の領域Ａ１にある状態で右方向キーが操作された場合には、右に隣接する領域Ａ２にカーソルＣを移動させ（図４（ｃ）参照）、カーソルＣが領域Ａ１にある状態で下方向キーが操作された場合には、下に隣接する領域Ａ５にカーソルＣを移動させる。なお、カーソルＣが領域Ａ１にある状態で上方向キーや左方向キーが操作された場合、即ち隣接する領域が存在しない方向の方向キーが操作された場合にはいずれの処理も行わずにステップＳ１０３に戻る。
【００３６】
このように、ステップＳ１０３及びステップＳ１０４が繰り返されることにより、ユーザは、１２の領域Ａ１〜Ａ１２の中の所望の領域にカーソルＣを移動させることが可能であり、カーソルＣを移動させることによって処理対象とすべき領域を指定することができる。
【００３７】
ステップＳ１０３において方向キーが操作されずにステップＳ１０５に移行した場合には、制御部２０は、操作パネル２２或いはリモコン２３が決定キーの操作を受け付けたか否か、即ちユーザによって決定キーが操作されたか否かを判断する。この結果、決定キーが操作された場合にはステップＳ１０６に移行し、決定キーが操作されていない場合にはステップＳ１０３に戻る。
【００３８】
決定キーが操作されてステップＳ１０６に移行した場合には、制御部２０は、記憶部２１からマスク情報を読み出して、カーソルＣによって指定された領域が既にマスクされた状態であるか、或いはマスクされていない状態であるかを判断する。この結果、マスクされていない状態であればステップＳ１０７に移行し、マスクされた状態であればステップＳ１０８に移行する。
【００３９】
指定された領域がマスクされておらずステップＳ１０７に移行した場合には、制御部２０は、指定された領域を特定可能な領域情報を、画像処理部２６に出力するとともに、この領域にマスク処理を施すよう画像処理部２６に指示をする。画像処理部２６は、この指示を受けると、これ以降に生成する画像情報において、領域情報によって特定される領域に含まれる画素の画素値を最小値に設定する。この結果、カーソルＣによって指定された領域に含まれる画像は消去される（図４（ｄ）参照）。なお、領域情報としては、例えば、領域の対角に位置する２つの画素の座標値を用いることができるが、領域の位置及び大きさが特定可能な情報であれば、これに限定されない。
【００４０】
一方、図５（ａ）に示すように、カーソルＣによって指定された領域が既にマスクされた領域であるためにステップＳ１０８に移行した場合には、制御部２０は、指定された領域を特定可能な領域情報を、画像処理部２６に出力するとともに、この領域にマスク解除処理を施すよう画像処理部２６に指示をする。画像処理部２６は、この指示を受けると、これ以降に生成する画像情報において、領域情報によって特定される領域に含まれる画素の画素値を、画像信号入力部２５から入力される画像信号に基づく画素値に設定する。この結果、カーソルＣによって指定された領域には、画像信号に応じた画像が表示される（図５（ｂ）参照）。
【００４１】
ステップＳ１０７或いはステップＳ１０８を経てステップＳ１０９に移行すると、制御部２０は、ステップＳ１０６で読み出したマスク情報を、ステップＳ１０７におけるマスク処理、或いはステップＳ１０８におけるマスク解除処理に応じて更新し、更新後のマスク情報を記憶部２１に記憶させる。
【００４２】
続くステップＳ１１０では、制御部２０は、ＯＳＤ処理部２７に指示をして、境界線Ｌ及びカーソルＣの重畳表示を終了させ（図４（ｅ）及び図５（ｃ）参照）、フローを終了する。
【００４３】
本実施形態のプロジェクタ１は、上記のように動作するため、ユーザは、マスクキーを操作した後で所望の領域を指定することにより、当該領域をマスクして入力画像Ｇｉの一部を消去させた状態にすることができる。また、マスクキーを操作した後で、既にマスク処理がなされている領域を指定すれば、当該領域のマスクを解除して入力画像Ｇｉが表示される状態に復帰させることができる。
【００４４】
また、プロジェクタ１は、複数の領域を同時にマスクすることも可能である。例えば、図４（ａ）〜（ｅ）に示した手順で領域Ａ２をマスクした後に、再度マスクキーを操作して領域Ａ３を指定すると、図６に示すように、入力画像Ｇｉは、２つの領域Ａ２，Ａ３に含まれる画像が消去された状態となる。
【００４５】
また、図７に示すように、プロジェクタ１が、ホワイトボードＷＢ等の筆記可能な投写面Ｓ上に入力画像Ｇｉを投写している場合には、筆記画像Ｇｈ（筆記すべき文字や図形等）をマスクされた領域内に書き込むことにより、プロジェクタ１から投写される投写画像（入力画像Ｇｉ）と筆記画像Ｇｈとが重なり合わずに済む。
【００４６】
以上説明したように、本実施形態のプロジェクタ１によれば、以下の効果を得ることができる。
（１）本実施形態のプロジェクタ１によれば、投写される入力画像Ｇｉの一部の領域をマスク可能になっているため、ホワイトボードＷＢ等の筆記可能な投写面Ｓ上に画像を投写する際に、筆記画像Ｇｈを書き込むための領域を投写画像（入力画像Ｇｉ）内に設けることが可能となる。この結果、入力画像Ｇｉと筆記画像Ｇｈとの両方を示す際に、両者が重なり合うことによる視認性の低下を容易に抑制することが可能となる。
【００４７】
（２）本実施形態のプロジェクタ１によれば、マスクすべき領域を指定する際に、区分された複数の領域Ａ１〜Ａ１２の中から所望の領域を選択させる構成であるため、領域の指定を容易に行うことが可能となる。
【００４８】
（３）本実施形態のプロジェクタ１によれば、指定された領域が既にマスクされている場合にマスクの解除を行うため、マスクすべき領域の変更を容易に行うことが可能となる。
【００４９】
なお、本実施形態では、ステップＳ１０１〜Ｓ１０４において、入力画像Ｇｉを複数の領域に区分し、ユーザによる方向キーの操作に応じてカーソルＣを移動させてマスクすべき領域を指定させる際の制御部２０、ＯＳＤ処理部２７、操作パネル２２及びリモコン２３が領域指定部に相当する。また、ステップＳ１０７において、指定された領域にマスク処理を施す際の制御部２０及び画像処理部２６がマスク部に相当し、ステップＳ１０８において、指定された領域にマスク解除処理を施す際の制御部２０及び画像処理部２６がマスク解除部に相当する。
【００５０】
（第２実施形態）
以下、第２実施形態に係るプロジェクタについて図面を参照して説明する。
前記第１実施形態では、操作パネル２２及びリモコン２３に備わる方向キーでカーソルＣを移動させることによってマスク処理、或いはマスク解除処理の対象となる領域を指定するようにしている。これに対して本実施形態では、区分された領域Ａ１〜Ａ１２にそれぞれ１対１で対応する操作キーをリモコン２３が備えており、これらの操作キーを操作することによって直接領域を指定することが可能になっている。上記以外の構成については、前記第１実施形態と同一である。
【００５１】
図８は、本実施形態に係るプロジェクタ１のリモコン２３を示す平面図である。
図８に示すように、本実施形態のリモコン２３は、前記第１実施形態と同様、電源キー４１、メニューキー４２、４つの方向キー４３、決定キー４４、取消キー４５、マスクキー４６を備えるとともに、この他にも多数の操作キーを有している。ここで、図中の破線で囲まれた領域Ｋには、１２の操作キー（メニューキー４２を含む）が４×３のマトリクス状に配列されている。これら１２の操作キーは、それぞれ独立した機能が割り当てられている一方、マスクキーが操作された際には、領域を指定するための領域指定キーとして機能するようになっている。
【００５２】
領域指定キーに含まれる１２の操作キーは、それぞれ入力画像Ｇｉの１２の領域Ａ１〜Ａ１２に対して位置に応じた対応付けがなされており、例えば、領域指定キーの左上角の操作キーを操作することによって入力画像Ｇｉの左上角の領域である領域Ａ１を指定することができる。
【００５３】
図９は、本実施形態に係るプロジェクタ１において、マスクキーが操作された際の動作を示すフローチャートであり、図１０（ａ）〜（ｄ）は、プロジェクタの動作の具体的事例を説明するための説明図である。リモコン２３がマスクキーの操作を受け付けると、制御部２０は、図９に示すフローに従って動作する。なお、マスクキーが操作される直前まで、投写面Ｓには図１０（ａ）に示す入力画像Ｇｉが投写されているものとする。
【００５４】
図９に示すように、ステップＳ２０１では、制御部２０は、ＯＳＤ処理部２７に指示をして、入力画像Ｇｉを４×３の１２の領域Ａ１〜Ａ１２（図３参照）に区分する境界線Ｌを入力画像Ｇｉ上に重畳表示させる（図１０（ｂ）参照）。
【００５５】
続くステップＳ２０２では、制御部２０は、リモコン２３が領域指定キーの操作を受け付けたか否か、即ちユーザによって領域指定キーのいずれかが操作されたか否かを判断する。この結果、領域指定キーが操作された場合にはステップＳ２０３に移行し、領域指定キーが操作されていない場合にはステップＳ２０７に移行する。
【００５６】
領域指定キーが操作されてステップＳ２０３に移行した場合には、制御部２０は、記憶部２１からマスク情報を読み出して、領域指定キーによって指定された領域がマスクされた状態であるか、或いはマスクされていない状態であるかを判断する。この結果、マスクされていない状態であればステップＳ２０４に移行し、マスクされた状態であればステップＳ２０５に移行する。
【００５７】
指定された領域がマスクされておらずステップＳ２０４に移行した場合には、制御部２０は、指定された領域を特定可能な領域情報を、画像処理部２６に出力するとともに、この領域にマスク処理を施すよう画像処理部２６に指示をする。画像処理部２６は、この指示を受けると、これ以降に生成する画像情報において、領域情報によって特定される領域に含まれる画素の画素値を最小値に設定する。この結果、領域指定キーによって指定された領域に含まれる画像は消去される（図１０（ｃ）参照）。
【００５８】
一方、領域指定キーによって指定された領域がすでにマスクされた領域であってステップＳ２０５に移行した場合には、制御部２０は、指定された領域を特定可能な領域情報を、画像処理部２６に出力するとともに、この領域にマスク解除処理を施すよう画像処理部２６に指示をする。画像処理部２６は、この指示を受けると、これ以降に生成する画像情報において、領域情報によって特定される領域に含まれる画素の画素値を、画像信号入力部２５から入力される画像信号に基づく画素値に設定する。この結果、領域指定キーによって指定された領域には、画像信号に応じた画像が表示される（図示は省略する）。
【００５９】
ステップＳ２０４或いはステップＳ２０５を経てステップＳ２０６に移行すると、制御部２０は、ステップＳ２０３で読み出したマスク情報を、ステップＳ２０４におけるマスク処理、或いはステップＳ２０５におけるマスク解除処理に応じて更新し、更新後のマスク情報を記憶部２１に記憶させてステップＳ２０２に戻る。
【００６０】
ステップＳ２０２において領域指定キーが操作されずにステップＳ２０７に移行した場合には、制御部２０は、リモコン２３が決定キーの操作を受け付けたか否か、即ちユーザによって決定キーが操作されたか否かを判断する。この結果、決定キーが操作された場合にはステップＳ２０８に移行し、決定キーが操作されていない場合にはステップＳ２０２に戻る。
【００６１】
ステップＳ２０８では、制御部２０は、ＯＳＤ処理部２７に指示をして、境界線Ｌの重畳表示を終了させ（図１０（ｄ）参照）、フローを終了する。
【００６２】
本実施形態のプロジェクタ１は、上記のように動作するため、ユーザは、マスクキーを操作した後で所望の領域に対応する領域指定キーを操作するだけで、当該領域に対するマスク処理やマスク解除処理を行わせることができる。また、１つの領域に対してマスク処理やマスク解除処理を行った後、ステップＳ２０２に戻って再度領域指定キーの操作を受け付けるようにしているため、一度マスクキーを操作すれば、複数の領域に対してマスク処理やマスク解除処理を行ったり、１つの領域に対してマスク処理とマスク解除処理とを続けて行ったりすることも可能である。
【００６３】
以上説明したように、本実施形態のプロジェクタ１によれば、前記第１実施形態の効果に加えて、以下の効果を得ることができる。
本実施形態のプロジェクタ１によれば、リモコン２３が、区分した複数の領域Ａ１〜Ａ１２に１対１で対応する複数の操作キー（領域指定キー）を有しており、この操作キーを操作することによってマスクすべき領域を指定させる構成であるため、領域の指定をさらに容易に行うことが可能となる。
【００６４】
なお、本実施形態では、ステップＳ２０１，Ｓ２０２において、入力画像Ｇｉを複数の領域に区分し、ユーザによる領域指定キーの操作によってマスクすべき領域を指定させる際の制御部２０、ＯＳＤ処理部２７及びリモコン２３が領域指定部に相当する。また、ステップＳ２０４において、指定された領域にマスク処理を施す際の制御部２０及び画像処理部２６がマスク部に相当し、ステップＳ２０５において、指定された領域にマスク解除処理を施す際の制御部２０及び画像処理部２６がマスク解除部に相当する。
【００６５】
（変形例）
なお、前記実施形態は、以下のように変更してもよい。
前記第１及び第２実施形態では、入力画像Ｇｉの一部の領域をマスクする際に、この領域内に含まれるすべての画素の光透過率が最小となるようにしているが、この構成に限定されない。例えば、すべての画素の光透過率が最大となるようにして、領域内に白色光を投写するようにしてもよいし、他の色光を投写するようにしてもよい。ただし、筆記画像Ｇｈの視認性を低下させないためには、領域内を無地にするのが望ましい。また、周囲の明るさ、投写面Ｓの反射率、筆記画像Ｇｈの色等の使用状況に応じて、マスクする領域の明暗や配色を設定できるようにしてもよい。
【００６６】
前記第２実施形態では、リモコン２３が領域指定キーを備えた構成を示しているが、操作パネル２２が領域指定キーを備えるようにしてもよい。
【００６７】
前記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源１１から射出される光を変調する微小ミラーアレイデバイス等を用いることもできる。
【００６８】
前記実施形態では、光源１１は、放電型の光源ランプ１１ａによって構成されているが、ＬＥＤ（Light Emitting Diode：発光ダイオード）光源等の固体光源や、その他の光源を用いることもできる。
【図面の簡単な説明】
【００６９】
【図１】第１実施形態に係るプロジェクタの概略構成を示すブロック図。
【図２】第１実施形態においてマスクキーが操作された際のプロジェクタの動作の詳細を示すフローチャート。
【図３】第１実施形態においてマスクキーが操作された際のプロジェクタの動作を説明するための説明図。
【図４】（ａ）〜（ｅ）は、第１実施形態に係るプロジェクタの動作の具体的事例を説明するための説明図。
【図５】（ａ）〜（ｃ）は、第１実施形態に係るプロジェクタの動作の具体的事例を説明するための説明図。
【図６】第１実施形態に係るプロジェクタの動作の具体的事例を説明するための説明図。
【図７】第１実施形態に係るプロジェクタの動作の具体的事例を説明するための説明図。
【図８】第２実施形態に係るプロジェクタのリモコンを示す平面図。
【図９】第２実施形態においてマスクキーが操作された際のプロジェクタの動作を示すフローチャート。
【図１０】（ａ）〜（ｄ）は、第２実施形態に係るプロジェクタの動作の具体的事例を説明するための説明図。
【符号の説明】
【００７０】
１…プロジェクタ、１０…画像投写部、１１…光源、１２Ｒ，１２Ｇ，１２Ｂ…液晶ライトバルブ、１３…投写レンズ、１４…ライトバルブ駆動部、２０…制御部、２１…記憶部、２２…操作パネル、２３…リモコン、２４…操作信号受信部、２５…画像信号入力部、２６…画像処理部、２７…ＯＳＤ処理部、Ａ１〜Ａ１２…領域、Ｇｉ…入力画像、Ｇｈ…筆記画像、Ｃ…カーソル、Ｌ…境界線、Ｓ…投写面、ＷＢ…ホワイトボード。
【図１】
2009092801.tif 000003
【図２】
2009092801.tif 000004
【図３】
2009092801.tif 000005
【図４】
2009092801.tif 000006
【図５】
2009092801.tif 000007
【図６】
2009092801.tif 000008
【図７】
2009092801.tif 000009
【図８】
2009092801.tif 000010
【図９】
2009092801.tif 000011
【図１０】
2009092801.tif 000012